(57)【特許請求の範囲】
【請求項１】
蝋及び、可塑化したクリーム状を保持し、２ｍｍから５ｍｍの細い線の蝋であることを特徴とする蝋の基材から構成され、漏斗品に蝋の基材を投入後絞り出し、蝋の土台に蝋の基材で制作する模様を描く蝋細工の製造方法。
蝋の基材とは、ソイワックスとジェルワックスの合計１００質量部に  対し、ソイワックス５０質量部超９０質量部未満とし、熱可塑し混合されたクリーム状のものとする。
【発明の詳細な説明】
【技術分野】
【０００１】本発明は蝋細工の製造方法に関する。
【背景技術】
【０００２】  従来の蝋細工は、液状の蝋を型に流し込み形成する、または凝固後から装飾するものを主流とし、デザインにおいては西洋柄が多い。結果、作品の利用環境が限定されやすく、蝋細工の市場範囲がやや狭い。
本発明は、観光工芸品等とする技術職としての需要もあり、販路等がインタ−ネットを可能とする観点から、ＢＣＰを視野に遠隔的に資格授与等を可能とするリモ−トワ−ク性があり、雇用環境に制限がなく、アウトプットしやすいものづくりである蝋細工とする。
【先行技術文献】
【特許文献】
【０００３】
【特許文献１】特開昭６０−０３１５９９
【特許文献２】実全昭４８−０３２６１２
【０００４】  本発明は、特許文献１，２の蝋細工の技巧に限らず、蝋が可塑化したクリ−ム状でなければ成立しない。
【発明の概要】
【発明が解決しようとする課題】
【０００５】液状の蝋を型に流し込み形成する方法を主流とする従来の蝋細工は、凝固しやすい蝋の特徴が原因であり、蝋を可塑化したクリーム状を保持し、２ｍｍから５ｍｍの細い線状のまま長時間、模様を描き続けるデザインを困難としていたからである。【０００６】  従来の蝋細工のデザインは、利用環境の範囲がやや狭い。【０００７】  蝋の基材及び蝋の土台は、香料や染料を混合することで、蝋細工を立体化し塑造することで、蝋細工の美観を向上することが望ましい。
【課題を解決するための手段】
【０００８】蝋及び、可塑化したクリーム状を保持し、２ｍｍから５ｍｍの細い線の蝋であることを特徴とする蝋の基材から構成され、漏斗品に蝋の基材を投入後絞り出し、蝋の土台に蝋の基材で制作する模様を描く蝋細工の製造方法。【０００９】  蝋の基材とは、ソイワックスとジェルワックスの合計１００質量部に対し、ソイワックス５０質量部超９０質量部未満とし、熱可塑し混合されたクリ−ム状のものとする。【００１０】請求項１によって、従来にない蝋を長時間可塑化したクリーム状であることを可能とし、凝固化を防ぐことを特徴とする。
【発明の効果】
【００１１】  本発明では、以下に記載する効果を奏する。【００１２】  本発明に係る蝋細工の製造方法は、蝋を長時間可塑化したクリ−ム状で保持することを特徴とした蝋の基材で制作する模様を描くことで、利用環境の拡大及び、デザインの多様化を提供する。
【図面の簡単な説明】
【００１３】
【図１】本発明の投入図である。
【図２】本発明の側面図である。
【図３】本発明の上面図である。
【発明を実施するための形態】
【００１４】  以下は、本発明に係わる蝋細工の構成についてであり図を参照する。
【００１５】  本発明の実施形態は、図１，２，３で表し、符号１を蝋の基材、符号２を蝋の土台、符号３を蝋の基材で制作する模様、符号４を蝋芯とし、符号５をビ−カ−、符号６を漏斗品とする。
【００１６】  蝋の基材１となるジェルワックスをビ−カ−５に投入し、電磁調理器で約８５℃を１０分程度とし、熱可塑した後、自然冷却で約６０℃まで低下した時点でソイワックスを混合させ融解する。
【００１７】  蝋の熱可塑した時間が長くなれば、蒸発燃焼し蝋が減量するため、常に目視で確認し続ける必要がある。
【００１８】  容器を複数使用した場合、蝋を取り残し、蝋の減量の原因となるため、容器は１つであることが望ましい。
【００１９】  ビ−カ−５に投入した液状の蝋を、自然冷却で約４０℃まで低下し、クリ−ム状にする。
【００２０】漏斗品６にビーカー５から、可塑化したクリーム状を保持し、２ｍｍから５ｍｍの細い線の蝋であることを特徴とする蝋の基材１を、室温１８℃から２８℃、蝋の基材１が３０℃から４０℃としたものを、投入後（図１）絞り出し（図２）、蝋の土台２に蝋の基材で制作する模様３を描く（図３）蝋細工の製造方法を提供する。
【００２１】  香料、染料、花材を混合することで、蝋細工を立体化し塑造することが望ましい。
【００２２】  コ−ティング効果として、熱可塑した約４０℃のジェルワックスを、刷毛等を用いて塗装することが望ましい。
【００２３】  漏斗品６の下開口部の切り口を、立てや斜め等に変化させることで、蝋細工のデザインが多様化する。
【００２４】  蝋の土台２の素材は、植物性ワックス〈ソイワックス、ソイピラ−ワックス〉、動物性ワックス〈蜜蝋、馬油〉、合成ワックス〈パラフィン、ジェルワックス〉、天然樹脂〈椰子、椿、松〉等とするが、限定しなくてもよいものとする。
【００２５】  蝋の土台２から蝋芯４を取り除き、観賞用の蝋細工であることを利用可能とすることから、燃焼体とすることを限定しなくてもよい。
【００２６】  実施例にて本発明の詳細を説明するにあたり、本発明はこれらの実施例に限定されるものではない。
【実施例】
【００２７】
【表１】
0006829803.tif 000002
【実施例１】
【００２８】ソイワックス７に対しジェルワックス３の比率により、蝋の基材１の可塑化したクリ−ム状であることが安定する。【００２９】（比較例１）ソイワックスは凝固がやや早い傾向をもち、量が多いと使用中に凝固がはじまり、蝋細工を制作出来ない。【００３０】（比較例２）ジェルワックスは融点が高いため、蝋素材を比較的軟化させる傾向にはあるが、量が多いと固まらない。【００３１】（他素材効果）香料、染料、花材を混合する場合は、他素材の成分を把握して使用する必要がある。特に染料については、燃焼性の高い合成染料（ナフタレン等）であれば、燃焼が速く煤の原因になるため、避ける方が好ましく、また、植物性染料に至っては堅牢度が安定しないことから、一定の品質を保てないことに注意し、使用することが望ましい。【００３２】（コ−ティング効果）完成した蝋細工の表面に、熱可塑した約４０℃のジェルワックスを、刷毛等を用いて塗装することで、蝋の土台２の劣化及び破損を防ぐ。【００３３】（実施結果）比較例１，２により、蝋が可塑化したクリ−ム状を保持できなかったことが、実施例１の根拠であり、蝋の基材１に配合する蝋素材の量を確定することで本発明の蝋細工の製造方法を提供する。
【産業上の利用可能性】
【００３４】（キャンドルア−ト）蝋の基材１は、クリ−ム状であることから、絵画を描く目的としても利用可能なため、蝋の絵画キット及び、テキスト販売等、ア−ト作品として利用できる。【００３５】（素材）本発明は、蝋細工の工程に火を使用しなくてもよいため、制作環境は安全性が高く、また、蝋細工及び絵画技術等、利用環境の範囲を広く捉えることで、多目的に利用できる。【００３６】（製品）蝋の基材１を生産することで、利用者の購入により作品を制作した場合、付加価値としてオリジナリティの高い製品となる。
一例として、地域の特徴を描いた土産品、季節事のイベント等を表現することが可能である。
また、本発明の蝋細工技術を取得し、教室や蝋細工制作者として活動することが可能である。【００３７】（演出）冠婚葬祭等イベント時のメッセ−ジプレ−トとして利用することで、制作者のオリジナリティを表現しやすい自由性の高い製品のため、より目的にあった演出効果を提供する。【００３８】（雇用環境）頻繁化している異常気象で被災された企業及び被災者の方々にＢＣＰの一貫として、リモ−ト的に提供できる資格授与等により、“いつでも誰でもどこでも働ける技術”の一つとして産業化していくことを提供する。
【符号の説明】
【００３９】１．蝋の基材
２．蝋の土台
３．蝋の基材で制作する模様
４．蝋芯
５．ビ−カ−
６．漏斗品
【要約】      （修正有）【課題】液状の蝋を型に流し込み形成する方法を主流とする従来の蝋細工は、凝固しやすい蝋の特徴が原因であり、蝋を可塑化したクリーム状を保持し、２ｍｍから５ｍｍの細い線状のまま長時間、模様を描き続けるデザインを困難としていたからである。凝固しやすい蝋に対し、クリーム状を保持するための管理方法を解決することで、製造提供する。【解決手段】蝋及び、可塑化したクリーム状を保持し、２ｍｍから５ｍｍの細い線の蝋であることを特徴とする蝋の基材１から構成され、漏斗品６に蝋の基材１を投入後絞り出し、蝋の土台２に蝋の基材で制作する模様３を描く蝋細工の製造方法。蝋の基材１とは、ソイワックスとジェルワックスの合計１００質量部に対し、ソイワックス５０質量部超９０質量部未満とし、熱可塑し混合されたクリーム状のものとする。請求項１によって、従来にない蝋を長時間可塑化したクリーム状であることを可能とし、凝固化を防ぐ。【選択図】図３【図１】
0006829803.tif 000003
【図２】
0006829803.tif 000004
【図３】
0006829803.tif 000005